(57)【要約】
【課題】　別体の取付用部品を必要とせず、迅速にサングラスレンズをフレームレス眼鏡の外側に着脱できるサングラスレンズ装着機構の提供。
【解決手段】　ブリッジ部１３の両端及び座部１４の端部に凹部１６，１７を形成し、サングラスレンズ２０の両側に切り込み２１を形成し、切り込み２１にブリッジ部１３の両端部及び座部１４の端部を係合し、凹部１６，１７に切り込み底部２２を係合して、フレームレス眼鏡１０のレンズ１１外面にサングラスレンズ２０を着脱自在に装着する。
【選択図】　　　　　図２
0003100508.tif 000002
【実用新案登録請求の範囲】
【請求項１】
　左右のレンズの内側部をブリッジ部で連結し、前記レンズの外側にそれぞれ座部の一端を固定すると共に、該座部の他端にテンプルを軸着して成るフレームレス眼鏡のレンズ表面に、前記レンズとほぼ同形状のサングラスレンズを着脱自在に装着するサングラスレンズ装着機構であって、前記ブリッジ部の両端及び前記座部の一端に凹部を形成し、前記サングラスレンズの両側において、前記ブリッジ部及び前記座部と対応する位置にそれぞれ切り込みを形成し、前記サングラスレンズの切り込みに前記ブリッジ部の両端部及び前記座部の一端部を着脱自在に係合すると共に、前記ブリッジ部及び座部の凹部に、前記サングラスレンズの切り込み底部を着脱自在に係合したことを特徴とするサングラスレンズ装着機構。
【考案の詳細な説明】
【技術分野】
【０００１】
　本考案は、フレームレス眼鏡にサングラスレンズを着脱自在に装着するサングラスレンズ装着機構に関する。
【背景技術】
【０００２】
　一般的に、サングラスを通常の眼鏡に着脱自在に取り付けるには、眼鏡フレームの適宜位置に磁石を設置し、サングラスの掛け枠の対応する位置にも磁石を設置し、磁石どうしの吸引力を利用して眼鏡の表面にサングラスレンズを装着していた。しかし、このように磁石を利用したものは、使用部品が多く、構造が複雑でコストが高く付き、眼鏡全体の重量が重くなるという欠点がある。
　また、フックで引っ掛けたり、クリップで挟むことにより眼鏡の表面にサングラスレンズを装着するものも知られているが、いずれも部品が複雑で破損しやすく、実用性に欠ける。
【考案の開示】
【考案が解決しようとする課題】
【０００３】
　本考案は、別体の取付用部品を必要とせず、迅速にサングラスレンズをフレームレス眼鏡のレンズ表面に着脱して、サングラスとしても通常の眼鏡としても使用することができるサングラスレンズ装着機構を提供することを目的とする。
【課題を解決するための手段】
【０００４】
　本考案のサングラスレンズ装着機構は、左右のレンズの内側部をブリッジ部で連結し、前記レンズの外側にそれぞれ座部の一端を固定すると共に、該座部の他端にテンプルを軸着して成るフレームレス眼鏡のレンズ表面に、前記レンズとほぼ同形状のサングラスレンズを着脱自在に装着するものであって、前記ブリッジ部の両端及び前記座部の一端に凹部を形成し、前記サングラスレンズの両側において、前記ブリッジ部及び前記座部と対応する位置にそれぞれ切り込みを形成し、前記サングラスレンズの切り込みに前記ブリッジ部の両端部及び前記座部の一端部を着脱自在に係合すると共に、前記ブリッジ部及び座部の凹部に、前記サングラスレンズの切り込み底部を着脱自在に係合してある。
【考案の効果】
【０００５】
　本考案によれば、フレームレス眼鏡のブリッジ部及び両側の座部と、サングラスレンズの切り込みを係脱するだけで、簡単にサングラスレンズをフレームレス眼鏡のレンズ表面に着脱することが可能であり、サングラスとして利用する場合と、通常の眼鏡として利用する場合の切換を迅速に行えるだけでなく、本来備わっているブリッジ部及び座部を利用して、サングラスレンズを取り付けるので、別体の取付部材が不要であり、このため、製造コストが低廉で済むと共に、破損しにくく、全体の重量が軽減されて、軽く快適に使用することができる。
【考案を実施するための最良の形態】
【０００６】
　以下、本考案の実施例を図面に基づいて詳細に説明する。
　図１及び図２に示すように、本考案のサングラスレンズ装着機構は、フレームレス眼鏡１０のレンズ１１の表面にサングラスレンズ２０を着脱自在に装着する機構であり、サングラスレンズ２０を装着した場合には、フレームレス眼鏡１０をサングラスとして利用でき、サングラスレンズ２０を外して通常の眼鏡としても利用できる。
【０００７】
　フレームレス眼鏡１０は、左右のレンズ１１の内側部を、鼻パッド１２を有するブリッジ部１３で連結し、左右のレンズ１１の外側にそれぞれ座部１４の一端部を固定し、座部１４の他端部にテンプル１５を軸着して成る。
　図４に示すように、ブリッジ部１３の両端はレンズ１１の表面に配置され、ブリッジ部１３の両端には、外側及び上下側が開口する凹部１６が形成される。
　また、図３に示すように、座部１４の一端もレンズ１１の外面に配置され、座部１４の一端に、内側及び上下側が開口する凹部１７が形成されている。
　凹部１６，１７の前後方向の幅は、サングラスレンズ２０の厚みよりも僅かに大きい程度とする。
【０００８】
　図１に示すように、サングラスレンズ２０の形状はフレームレス眼鏡１０のレンズ１１とほぼ同じであり、図２に示すように、サングラスレンズ２０の両側において、ブリッジ部１３及び座部１４と対応する位置には、それぞれ切り込み２１が形成される。
　切り込み２１の幅は、ブリッジ部１３及び座部１４の幅と同じくし、切り込み２１の深さは、レンズ１１の縁から凹部１６，１７の底部までの距離と等しくする。
【０００９】
　サングラスレンズ２０をフレームレス眼鏡１０に装着するには、先ず、フレームレス眼鏡１０のレンズ１１の表面にサングラスレンズ２０を配置し、サングラスレンズ２０の両側に形成した切り込み２１を、フレームレス眼鏡１０のブリッジ部１３及び座部１４に合わせる。
　次いで、図３及び図４に示すように、ブリッジ部１３の両端部及び座部１４の一端部を切り込み２１に着脱自在に係合し、サングラスレンズ２０の切り込み底部２２を、ブリッジ部１３の両端及び座部１４の一端に形成した凹部１６，１７に着脱自在に係合して、サングラスレンズ２０をしっかり固定する。
【００１０】
　この時、サングラスレンズ２０を、その弾力を利用して撓ませることにより、サングラスレンズ２０の両側の切り込み２１と、ブリッジ部１３及び座部１４とを無理なくはめ入れることができる。
　また、同様にサングラスレンズ２０を撓ませることにより、簡単にフレームレス眼鏡１０から取り外すことができ、異なる色の別のサングラスレンズに交換することも可能である。
【図面の簡単な説明】
【００１１】
【図１】本考案の実施例に係るサングラスレンズを装着したフレームレス眼鏡の斜視図。
【図２】本考案の実施例に係るサングラスレンズ及びフレームレス眼鏡の分離状態における斜視図。
【図３】サングラスレンズと座部との係合部分を示す斜視図。
【図４】サングラスレンズとブリッジ部との係合部分を示す斜視図。
【符号の説明】
【００１２】
　１０　フレームレス眼鏡
　１１　レンズ
　１２　鼻パッド
　１３　ブリッジ部
　１４　座部
　１５　テンプル
　１６　凹部
　１７　凹部
　２０　サングラスレンズ
　２１　切り込み
　２２　切り込み底部
【図１】
0003100508.tif 000003
【図２】
0003100508.tif 000004
【図３】
0003100508.tif 000005
【図４】
0003100508.tif 000006